(57)【要約】      （修正有）【課題】地図上の複数の場所の間の距離が分かりやすいように地図を表示する。【解決手段】場所情報を含む受信情報を表示する表示部２８を備えた表示装置１ａであって、基準点となる第３の場所からの距離が、場所情報を含む受信情報に含まれる第２の場所と現在地である第１の場所との間の距離と同じである第４の場所を文字情報として表示する。【選択図】図２
2018128592.tif 000002
【特許請求の範囲】
【請求項１】
場所情報を含む受信情報を表示する表示部を備えた表示装置であって、
基準点となる第３の場所からの距離が、前記場所情報を含む受信情報に含まれる第２の場所と現在地である第１の場所との間の距離と同じである第４の場所を文字情報として表示する
ことを特徴とする表示装置。
【請求項２】
前記第３の場所を基準とした前記第４の場所への方角は、前記第１の場所を基準とした前記第２の場所への方角と同じである
ことを特徴とする請求項１に記載の表示装置。
【請求項３】
前記表示部は、前記第１から第４の場所の少なくとも何れかを地図情報として表示する
ことを特徴とする請求項１または２に記載の表示装置。
【請求項４】
請求項１〜３の何れか１項に記載の表示装置を備えることを特徴とするテレビジョン受像機。
【請求項５】
請求項１に記載の表示装置としてコンピュータを機能させるための表示制御プログラムであって、上記表示部としてコンピュータを機能させるための表示制御プログラム。
【請求項６】
請求項５に記載の表示制御プログラムを記録したコンピュータ読み取り可能な記録媒体。
【発明の詳細な説明】
【技術分野】
【０００１】
本発明は表示装置、テレビジョン受像機、表示制御プログラム、および記録媒体に関する。
【背景技術】
【０００２】
地図情報を表示する画面を２以上の画面に分割し、各々の画面に異なる地図情報を表示する表示装置が従来技術として知られている（例えば特許文献１）。
【先行技術文献】
【特許文献】
【０００３】
【特許文献１】特開平１０−１３３５７０号公報（１９９８年５月２２日公開）
【発明の概要】
【発明が解決しようとする課題】
【０００４】
例えば生活圏外の地域等の土地鑑（土地勘とも表記される）の無い地域の地図上の複数の場所を示されたとしても、各々の場所がどれだけ離れているかが分かりにくい。このように地図上の複数の場所がどれだけ離れているかを分かりやすいように地図を表示する技術が求められている。
【０００５】
本発明の一態様は、地図上の複数の場所の間の距離が分かりやすいように地図を表示することを目的とする。
【課題を解決するための手段】
【０００６】
上記の課題を解決するために、本発明の一態様に係る表示装置は、場所情報を含む受信情報を表示する表示部を備えた表示装置であって、基準点となる第３の場所からの距離が、前記場所情報を含む受信情報に含まれる第１の場所と現在地である第２の場所との間の距離と同じである第４の場所を文字情報として表示する。
【発明の効果】
【０００７】
本発明の一態様によれば、地図上の２つの場所の間の距離が分かりやすい、という効果を奏する。
【図面の簡単な説明】
【０００８】
【図１】本発明の実施形態１に係る表示装置の外観を示す図である。
【図２】本発明の実施形態１に係る表示装置の要部構成の一例を示すブロック図である。
【図３】本発明の実施形態１に係る表示装置が実行する処理の一例を示すフローチャートである。
【図４】本発明の実施形態１に係る表示装置が表示する画像の一例である。
【図５】本発明の実施形態１に係る表示装置が表示する画像の他の例である。
【図６】本発明の実施形態２に係る表示装置が実行する処理の一例を示すフローチャートである。
【図７】本発明の実施形態２に係る表示装置が表示する画像の一例である。
【図８】本発明の実施形態３に係る表示装置の外観を示す図である。
【図９】本発明の実施形態３に係る表示装置の要部構成の一例を示すブロック図である。
【図１０】本発明の実施形態３に係る表示装置が実行する処理の一例を示すフローチャートである。
【図１１】本発明の実施形態３に係る表示装置が表示する画像の一例である。
【発明を実施するための形態】
【０００９】
〔実施形態１〕
本発明の一実施形態について図１から図５に基づいて説明する。
【００１０】
図１は、本実施形態に係る表示装置１ａの外観を示す図である。本実施形態において、表示装置１ａは、スマートフォン、タブレット端末等の携帯情報端末である。表示装置１ａは、タッチパネル２４を備えている。
【００１１】
図２は、本実施形態に係る表示装置１ａの要部構成の一例を示すブロック図である。図２に示すように、表示装置１ａは、制御部１０、通信部２０、測位部２２、タッチパネル２４、および記憶部３０を備える。
【００１２】
通信部２０は、インターネット等の通信網と接続し、データ通信を行う。通信部２０は、場所情報を含む受信情報を取得する。本実施形態において通信部２０は、場所情報を含む受信情報の一例として、緊急情報を取得する。また、通信部２０は、地図を示す情報である地図情報を取得する地図情報取得部として機能する。
【００１３】
測位部２２は、表示装置１ａの現在地を、例えばＧＰＳを利用して測位する。
【００１４】
タッチパネル２４は、タッチセンサ部２６、および表示部２８を含む。
【００１５】
タッチセンサ部２６は、ユーザーがタッチした位置を検出するセンサである。
【００１６】
表示部２８は、液晶ディスプレイ等の表示デバイスである。表示部２８は、通信部２０が取得した緊急情報を表示する。
【００１７】
記憶部３０は、データ、プログラムの格納領域であり、フラッシュメモリ等から構成される。記憶部３０は、基準点位置情報保存領域３２、および地図情報保存領域３４を含む。
【００１８】
制御部１０は、目的地情報取得部１１、現在地情報取得部１２、基準点位置情報取得部１３、距離算出部１４、方角算出部１５、対応位置算出部１６、および表示制御部１７として機能する。
【００１９】
目的地情報取得部１１は、通信部２０が受信した緊急速報に含まれる場所を示す情報を、目的地を示す情報として取得する。
【００２０】
現在地情報取得部１２は、測位部２２が測位した現在地を示す情報を取得する。
【００２１】
基準点位置情報取得部１３は、基準点位置情報保存領域３２に格納されている基準点位置を示す情報、またはユーザーが入力し、タッチセンサ部２６が検出した基準点位置を示す情報を取得する。
【００２２】
距離算出部１４は、目的地情報取得部１１が取得した目的地を示す情報、および現在地情報取得部１２が取得した現在地を示す情報を参照して、現在地と目的地との距離を算出する。
【００２３】
方角算出部１５は、目的地情報取得部１１が取得した目的地を示す情報、および現在地情報取得部１２が取得した現在地を示す情報を参照して、現在地から目的地に向かう方角を算出する。
【００２４】
対応位置算出部１６は、基準点位置情報取得部１３が取得した基準点の位置を示す情報、距離算出部１４が算出した距離、方角算出部１５が算出した方角、および地図情報保存領域３４に保存されている地図情報から、基準点位置を参照して、現在地から目的地に向かう方角に、現在地と目的地との距離だけ離れた対応位置を算出する。ただし、算出した対応位置が、海上等の、現在地と目的地との位置関係がかえってわかりにくくなるような不適切な位置であった場合は、現在地と目的地との距離だけ基準点位置から離れた位置を対応位置として再度算出する。
【００２５】
表示制御部１７は、表示部２８の表示を制御する。表示制御部１７は、表示部２８に、基準点となる第３の場所からの距離が、緊急情報に含まれる第２の場所としての目的地と現在地である第１の場所との間の距離と同じである第４の場所を文字情報として表示させる。また、表示制御部１７は、現在地から目的地に向かう方角と、基準点位置から対応位置に向かう方角とが異なる場合は、現在地と目的地との距離、および現在地から目的地に向かう方角を付随的に表示する。
【００２６】
続いて、図３および図４を参照して、本実施形態に係る表示装置１ａにおける制御を説明する。図３は、本実施形態に係る表示装置１ａにおける制御の一例を説明するフローチャートである。
【００２７】
ステップＳ３０において、目的地情報取得部１１は、通信部２０から緊急情報に含まれる目的地を示す情報を取得する。表示制御部１７は、図４の（ａ）に示すように、表示部２８に第２の場所としての目的地（本例において「浜通り」）を含む緊急情報を文字情報として表示させる。
【００２８】
ステップＳ３２において、現在地情報取得部１２は、測位部２２から現在地（本例において「東京」）を示す情報を取得する。
【００２９】
ステップＳ３４において、基準点位置情報取得部１３は、比較表示するための基準となる基準点位置を、ユーザーが入力し、タッチセンサ部２６が検出した内容に応じて基準点位置を示す情報を取得する。ユーザーが、タッチパネル２４において、「いつもの場所」を選択した場合、基準点位置情報取得部１３は、基準点位置情報保存領域３２から基準点位置を示す情報を取得する。また、ユーザーが、タッチパネル２４において、任意の地名を選択した場合、基準点位置情報取得部１３は、任意の地名を示す情報を、基準点位置を示す情報として取得する。
【００３０】
ステップＳ３６において、距離算出部１４は、ステップＳ３０において目的地情報取得部１１が取得した目的地を示す情報、およびステップＳ３２において現在地情報取得部１２が取得した現在地を示す情報を参照して、現在地と目的地との距離を算出する。
【００３１】
ステップＳ３８において、方角算出部１５は、ステップＳ３０において目的地情報取得部１１が取得した目的地を示す情報、およびステップＳ３２において現在地情報取得部１２が取得した現在地を示す情報を参照して、現在地から目的地に向かう方角を算出する。
【００３２】
ステップＳ４０において、対応位置算出部１６は、ステップＳ３４において基準点位置情報取得部１３が取得した基準点位置を示す情報、ステップＳ３６において距離算出部１４が算出した距離、およびステップ３８において方角算出部１５が算出した方角を参照して、基準点位置から、現在地から目的地に向かう方角に、現在地と目的地との距離だけ離れた対応位置を算出する。
【００３３】
ステップＳ４２において、表示制御部１７は、図４の（ｂ）に示すように、表示部２８ａに、緊急情報に加え、ステップ４０において算出した対応位置を文字情報として表示させる。本例においては、第３の場所としての基準点位置は「大阪」であり、第４の場所としての対応位置は「石川県金沢」である。
【００３４】
大阪在住のユーザーにとって東京およびその周辺が土地鑑のない場所であった場合、ユーザーは東京から福島浜通りがどのくらい離れているのかがすぐに分からない。本実施形態は、通常生活している生活圏に土地鑑のない場所を置き換えて表示するので、土地鑑のない場所の位置関係が直感的に分かりやすくなる。
【００３５】
図５に、本実施形態に係る表示装置１ａの表示部の他の表示例を示す。表示部２８ａ’は、図５に示すように、文字情報に加え、第１の場所としての東京と第２の場所としての福島浜通りを含む第１の地図と、第３の場所としての大阪と第４の場所としての金沢とを含む第２の地図を並べて表示する。また、表示部２８ａ’は、地図上の、東京、福島浜通り、大阪、および金沢の各々に該当する場所を強調表示する。なお、表示部２８ａは、第１から第４の場所の全てを表示しなくてもよく、第１から第４の場所の少なくとも何れかを地図情報として表示してもよい。
【００３６】
〔実施形態２〕
本発明の他の実施形態について、図６〜図７に基づいて説明すれば、以下のとおりである。なお、本実施例に係る表示装置は、実施形態１にて説明した部材と同じ機能を有する部材を備えているので、部材については、その説明を省略する。
【００３７】
図６は、本実施形態に係る表示装置における制御の一例を説明するフローチャートである。例えば宇都宮在住のユーザーが、ローマを旅行しているとする。
【００３８】
本実施形態のステップＳ６８〜ステップＳ７４は、実施形態１の図３に示すステップＳ３６〜ステップＳ４２に対応する。
【００３９】
本実施形態においては、目的地情報取得部１１が、目的地を示す情報を複数取得する。
【００４０】
ステップＳ６０において、目的地情報取得部１１は、通信部２０から緊急情報に含まれる複数の目的地を示す情報を取得する。表示制御部１７は、図７の（ａ）に示すように、表示部２８ｂに第２の場所としての目的地（本例において「（１）トレヴィの泉」、「（２）パンテオン」、「（３）ヴァチカン」、および「（４）フォロ・ロマーノ」）を含む緊急情報を文字情報として表示させる。
【００４１】
ステップＳ６２において、現在地情報取得部１２は、測位部２２から現在地（本例において「コロッセオ」）を示す情報を取得する。
【００４２】
ステップＳ６４において、基準点位置情報取得部１３は、比較表示するための基準となる基準点位置をユーザーが入力し、タッチセンサ部２６が検出した内容に応じて基準点位置（本例において「ＪＲ宇都宮駅」）を示す情報を取得する。
【００４３】
ステップ６６において、制御部１０は、複数の目的地について、対応位置が算出されていない目的地が存在するか否かを判定する。ステップ６６において制御部１０が対応位置を算出していない目的地が存在すると判定する（ＹＥＳ）と、制御部１０は、ステップＳ６８〜ステップＳ７２の処理を実行する。ステップ６６において制御部１０が対応位置を算出していない目的地が存在しないと判定する（ＮＯ）と、ステップＳ７４に移行する。
【００４４】
ステップＳ７４において、表示制御部１７は、表示部２８に、図７の（ｂ）に示すように、表示部２８ｂ’に、緊急情報に加え、ステップＳ７２において算出した対応位置を文字情報として表示させる。本例においては、第３の場所としての基準点位置は「ＪＲ宇都宮駅」であり、第４の場所としての対応位置は「（１）八幡山公園」、「（２）県庁」、「（３）作新学院」、および「（４）大通りと宇商通りの交差点」である。
【００４５】
宇都宮在住のユーザーにとってローマが土地鑑のない場所であった場合、「コロッセオ」から「（１）トレヴィの泉」、「（２）パンテオン」、「（３）ヴァチカン」、および「（４）フォロ・ロマーノ」の各々がどのくらい離れているのかがすぐに分からない。本実施形態によれば、通常生活している生活圏に土地鑑のない複数の場所を置き換えて表示するので、土地鑑のない複数の場所の位置関係が直感的に分かりやすくなる。
【００４６】
〔実施形態３〕
本発明の他の実施形態について、図８〜図１１に基づいて説明すれば、以下のとおりである。なお、説明の便宜上、前記実施形態にて説明した部材と同じ機能を有する部材については、同じ符号を付記し、その説明を省略する。
【００４７】
図８は、本実施形態に係る表示装置１ｃの外観を示す図である。本実施形態において、表示装置１ｃは、テレビジョン受像機である。表示装置１ｂは、表示部２８ｃを備えている。
【００４８】
図９は、本実施形態に係る表示装置１ｃの要部構成の一例を示すブロック図である。図９に示すように、表示装置１ｃは、表示部２８ｃの他に、制御部１０ｃ、記憶部３０ｃ、放送受信部３８、およびリモコン受信部４０を備える。
【００４９】
記憶部３０ｃは、地図情報保存領域３４、および現在地情報保存領域３６を含む。
【００５０】
現在地情報保存領域３６は、表示装置１ｃが設置されている場所を示す情報を格納している。
【００５１】
放送受信部３８は、チューナーであり、放送チャンネル信号を受信する。
【００５２】
本実施形態における目的地情報取得部１１ｃは、放送受信部３８が緊急速報を含む信号を受信した場合、緊急速報に含まれる場所を示す情報を、目的地を示す情報として取得する。
【００５３】
リモコン受信部４０は、ユーザーが操作するリモートコントローラからユーザーの操作に応じた信号を受信する。ユーザーは、リモートコントローラの操作により、基準点位置を指定することができる。
【００５４】
本実施形態における基準点位置情報取得部１３ｃは、リモコン受信部４０を介して、基準点位置を示す情報を取得する。複数のユーザーが各々の基準点位置を指定した場合、基準点位置情報取得部１３ｃは、基準点位置を示す情報を複数取得する。
【００５５】
図１０は、本実施形態に係る表示装置１ｃにおける制御の一例を説明するフローチャートである。
【００５６】
本実施形態のステップＳ１００〜ステップＳ１０４、およびステップＳ１０８〜ステップＳ１１４は、実施形態１の図３に示すステップＳ３０〜ステップＳ４２に対応する。
【００５７】
ステップ１０４において基準点位置情報取得部１３ｃが比較表示するための基準となる基準点位置を取得すると、ステップ１０６に移行する。
【００５８】
ステップ１０６において、制御部１０ｃは、複数の基準点位置について、対応位置が算出されていない基準点位置が存在するか否かを判定する。ステップ１０６において制御部１０ｃが対応位置を算出していない基準点位置が存在すると判定する（ＹＥＳ）と、制御部１０ｃはステップＳ１０８〜ステップＳ１１２の処理を実行する。ステップ１０６において制御部１０ｃが対応位置を算出していない基準点位置が存在しないと判定する（ＮＯ）と、ステップＳ１０４に移行し、表示制御部１７は複数の対応位置を示す情報を、表示部２８ｃに文字情報として表示させる。
【００５９】
図１１に、本実施形態に係る表示装置１ｃの表示部２８ｃの表示例を示す。例えば、東京において、大阪に住むユーザーと、北京に住むユーザーとが表示を視聴している表示装置１ｃが、図１１の（ａ）に示すように「浜通りで地震発生」との緊急速報を受信したとする。大阪に住むユーザーと北京に住むユーザーの各々は、リモートコントローラを操作して、「大阪」、「北京」を基準点位置として指定する。これに応じて、基準点位置情報取得部１３ｃは、リモコン受信部４０を介して、「大阪」を示す情報、および「北京」を示す情報を、基準点位置を示す情報として取得する。対応位置算出部１６は、「大阪」を基準点位置とする対応位置、および「北京」を基準点位置とする対応位置の各々を算出する。そして、表示部２８ｃ’は、図１１の（ｂ）に示すように、緊急情報に加え、「大阪」を基準点位置とする対応位置、および「北京」を基準点位置とする対応位置を文字情報として表示させる。本例においては、１つめの第３の場所としての基準点位置は「大阪」であり、第４の場所としての対応位置は「石川県金沢」である。また、２つめの第３の場所としての基準点位置は「北京」であり、第４の場所としての対応位置は「河北省承徳」である。本実施形態によれば、居住地が異なるユーザーが複数人いる場合、各々の居住地を基準点位置とする対応位置を文字情報として各々表示するので、各々のユーザーは土地鑑のない場所の位置関係が直感的に分かりやすくなる。
【００６０】
なお、本実施形態においては、ユーザーがリモートコントローラを操作することにより、基準点位置情報取得部１３ｃは、基準点位置を示す情報を取得しているが、基準点位置を示す情報の取得方法はこれに限らない。例えば表示装置が設置されている場所がホテルである場合、ホテルの従業員が、宿泊者の住所を示す情報を、表示装置に入力してもよい。
【００６１】
〔ソフトウェアによる実現例〕
表示装置１ａ，１ｃの制御ブロック（特に対応位置算出部１６および表示制御部１７）は、集積回路（ＩＣチップ）等に形成された論理回路（ハードウェア）によって実現してもよいし、ＣＰＵ（Central Processing Unit）を用いてソフトウェアによって実現してもよい。
【００６２】
後者の場合、表示装置１ａ，１ｃは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６３】
〔まとめ〕
本発明の態様１に係る表示装置１ａ，１ｃは、緊急情報を表示する表示部２８，２８ｃを備えた表示装置１ａ，１ｃであって、基準点となる第３の場所からの距離が、前記緊急情報に含まれる第１の場所と現在地である第２の場所との間の距離と同じである第４の場所を文字情報として表示する。
【００６４】
上記の構成によれば、地図上の２つの場所の間の距離が分かりやすい。
【００６５】
本発明の態様２に係る１ａ，１ｃは、上記態様１において、前記第３の場所を基準とした前記第４の場所への方角は、前記第１の場所を基準とした前記第２の場所への方角と同じであってもよい。
【００６６】
上記の構成によれば、地図上の２つの場所の位置関係が分かりやすい。
【００６７】
本発明の態様３に係る１ａ，１ｃは、上記態様１または２において、前記表示部２８，２８ｃは、前記第１から第４の場所の少なくとも何れかを地図情報として表示してもよい。
【００６８】
上記の構成によれば、地図と文字情報との両方を視認できるので、場所がわかりやすい。
【００６９】
本発明の各態様に係る表示装置１ａ，１ｃは、コンピュータによって実現してもよく、この場合には、コンピュータを上記表示装置１ａ，１ｃが備える各部（ソフトウェア要素）として動作させることにより上記表示装置をコンピュータにて実現させる表示装置の表示制御プログラム、およびそれを記録したコンピュータ読み取り可能な記録媒体も、本発明の範疇に入る。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７１】
１ａ，１ｃ  表示装置
１６  対応位置算出部
１７  表示制御部
２８，２８ｃ  表示部
【図１】
2018128592.tif 000003
【図２】
2018128592.tif 000004
【図３】
2018128592.tif 000005
【図４】
2018128592.tif 000006
【図５】
2018128592.tif 000007
【図６】
2018128592.tif 000008
【図７】
2018128592.tif 000009
【図８】
2018128592.tif 000010
【図９】
2018128592.tif 000011
【図１０】
2018128592.tif 000012
【図１１】
2018128592.tif 000013
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
場所情報を含む受信情報を表示する表示部を備えた表示装置であって、
基準点となる第３の場所からの距離が、前記場所情報を含む受信情報に含まれる第２の場所と現在地である第１の場所との間の距離と同じである第４の場所を文字情報として表示し、
前記第３の場所は、前記第１の場所とは異なる
ことを特徴とする表示装置。
【請求項２】
前記第３の場所を基準とした前記第４の場所への方角は、前記第１の場所を基準とした前記第２の場所への方角と同じである
ことを特徴とする請求項１に記載の表示装置。
【請求項３】
前記表示部は、前記第１から第４の場所の少なくとも何れかを地図情報として表示する
ことを特徴とする請求項１または２に記載の表示装置。
【請求項４】
請求項１〜３の何れか１項に記載の表示装置を備えることを特徴とするテレビジョン受像機。
【請求項５】
請求項１に記載の表示装置としてコンピュータを機能させるための表示制御プログラムであって、上記表示部としてコンピュータを機能させるための表示制御プログラム。
【請求項６】
請求項５に記載の表示制御プログラムを記録したコンピュータ読み取り可能な記録媒体。